(57)【特許請求の範囲】
【請求項１】
同一の板厚の板から成る
a) 上部に吊り下げ手段を有する上面板と、
b) 吊り下げ手段が設けられた位置よりも下の上面板の左右に折線を介して設けられた上左右側板と、
c) 上面板の下方に折線を介して設けられた下面板と、
d) 下面板の左右に、下面板及び上左右側板との間に折線を介して設けられた下左右側板と、
を有し、更に、
e) 下左右側板にそれぞれ重ねて設けられた左右組立スタンドユニット
を有し、
上左右側板と下左右側板をそれぞれ上面板及び下面板に折り重ねたときに上面板と上左右側板を貫通する矩形穴と下面板と下左右側板を貫通する矩形穴が設けられており、
それら矩形穴は又、下左右側面板と下面板をそれぞれ上左右側面板と上面板に折り重ねたときにそれらを貫通する矩形穴ともなるように設けられていることを特徴とする商品陳列板。
【請求項２】
更に、上下左右側板の上方に、上面板の左右に折線を介して補強板が設けられている請求項１に記載の商品陳列板。
【請求項３】
上面板、上左右側板、下面板及び下左右側板が１枚の厚板から成り、上記各折線は該厚板の厚み方向に切れ目を入れることにより形成されている請求項１又は２に記載の商品陳列板。
【発明の詳細な説明】
【技術分野】
【０００１】
本発明は、商品を吊り下げるフックを備える商品陳列板に関する。
【背景技術】
【０００２】
このような商品陳列板の一例が特許文献１に開示されている。本願図６により、この商品陳列板６０の基本的構造を説明する。図６の例では、全体の形状は縦長の長方形となっているが、これは正方形、円形等、任意の形状としてよい。通常、商品陳列板６０の表面には、陳列する商品の説明や広告を印刷する。
【０００３】
この商品陳列板（特許文献１では「ポップ板」と称されている）６０の複数箇所に、表裏を貫通する縦長方形の穴６１を設ける。この穴６１に、プラスチック製のフック７０を押し込み、固定する。フック７０は、図７に示すように、基台部７１から前方に吊り下げ部７２が突出した形状を有しており、基台部７１の後方上下には断面がＬ字形の固定爪７３、７４が設けられている。図６、図７では吊り下げ部７２はＬ字状であるが、これは、吊り下げる商品に応じて様々な形状のものを使用することができる。基台部７１後方上側の長い方の固定爪７３を先に商品陳列板６０の穴６１に入れ、少し上に上げた後、下側の短い方の固定爪７４を入れ（短い方の固定爪７４の先端は押し込み易いように斜めにカットされている）、フック７０全体を少し下に下ろす（図７(a)）。これにより、商品陳列板６０が基台部７１と両固定爪７３、７４の間に挟まれ、フック７０が商品陳列板６０に固定される。
【特許文献１】特開平9-244532号公報
【発明の開示】
【発明が解決しようとする課題】
【０００４】
特許文献１に記載の商品陳列板は、組み立て前の状態では中央の折線６２により二つ折りされ得るものの、使用時は縦長の長方形となっており、その形状は固定されている。
【０００５】
しかし、このような商品陳列板が使用される場所、状況は様々であり、それらに応じた形態に柔軟に対応できることが望ましい。
【０００６】
そこで、本発明が解決しようとする課題は、種々の形態に変化させて使用することができる商品陳列板を提供することである。
【課題を解決するための手段】
【０００７】
上記課題を解決するために成された本発明に係る商品陳列板は、同一の板厚の板から成る
a) 上部に吊り下げ手段を有する上面板と、
b) 吊り下げ手段が設けられた位置よりも下の上面板の左右に折線を介して設けられた上左右側板と、
c) 上面板の下方に折線を介して設けられた下面板と、
d) 下面板の左右に、下面板及び上左右側板との間に折線を介して設けられた下左右側板と、
を有し、更に、
e) 下左右側板にそれぞれ重ねて設けられた左右組立スタンドユニット
を有し、
上左右側板と下左右側板をそれぞれ上面板及び下面板に折り重ねたときに上面板と上左右側板を貫通する矩形穴と下面板と下左右側板を貫通する矩形穴が設けられており、
それら矩形穴は又、下左右側面板と下面板をそれぞれ上左右側面板と上面板に折り重ねたときにそれらを貫通する矩形穴ともなるように設けられていることを特徴とする。
【０００８】
換言すると、本発明に係る商品陳列板は、それぞれ折線を介して設けられた上面板、上左側板、上右側板、下面板、下左側板、下右側板の６枚の板で構成される本体と、下左側板と下右側板にそれぞれ重ねて設けられた左組立スタンドユニット及び右組立スタンドユニットから成る。上面板、上左側板、上右側板、下面板、下左側板、下右側板の６枚の板は同一の厚さの板から成る。左右の組立スタンドユニットは必ずしもこれらと同じ厚さである必要はない。
【０００９】
上面板、上左側板、上右側板、下面板、下左側板、下右側板の６枚の板は、個々に分離した板であってもよい。この場合、これらの間の折線は、折り曲げることが可能な部材（例えばビニールテープ等）で形成される。
また、これら６枚の板は１枚の板で構成されていてもよい。この場合、折線は、その板に厚み方向の切れ目を入れることにより形成することができる。
【発明の効果】
【００１０】
本発明に係る商品陳列板は、次のように各種形態で使用することができる。
第１に、上左右側板を上面板に重ね、下左右側面板を下面板に重ねて、全体として縦長の２倍厚の板とする。そして、それらを貫通する矩形穴に前記フックを取り付けることにより、これら重ねた板同士を固定する。この全体を、上面板の上部に設けた吊り下げ手段で吊り下げることにより、吊り下げ型の縦長の商品陳列板として使用することができる。
【００１１】
第２に、上記と同じ形状としつつ、吊り下げるのではなくて、左右の組立スタンドユニットで床等の上に立てることにより、スタンド型の縦長の商品陳列板として使用することができる。
【００１２】
第３に、下左右側面板と下面板をそれぞれ上左右側面板と上面板に折り重ねて、全体として横長の２倍厚の板とする。そして、それらを貫通する矩形穴に前記フックを取り付けることにより、これら重ねた板同士を固定する。この全体を、上面板の上部に設けた吊り下げ手段で吊り下げることにより、吊り下げ型の横長の商品陳列板として使用することができる。
【００１３】
第４に、第３の形態と同じ形状としつつ、吊り下げるのではなくて、左右の組立スタンドユニットで床等の上に立てることにより、スタンド型の横長の商品陳列板として使用することができる。
【発明を実施するための最良の形態】
【００１４】
本発明の一実施例を図１〜図５により説明する。図１は本実施例の商品陳列板１０の構成部品の展開図であり、(a)は本体１１、(b)は左右の組立スタンドユニット２０Ｌ、２０Ｒの展開図である。本実施例では、本体１１は厚さ約2mmの３枚合紙の１枚厚紙から成り、上面板１２、上左側板１３Ｌ、上右側板１３Ｒ、下面板１４、下左側板１５Ｌ、下右側板１５Ｒが互いに折線（図では点線）を介して接続されている。折線は、図１(c)に示すように、厚紙の表面のみを残して切れ目を入れることにより形成されている。なお、図１(d)に示すように、接続部側にビニールテープt等を貼付することにより、接続部を補強してもよい。折線の交差する箇所には、小さな円形の穴ｈが設けられている。なお、本体１１はこのような厚紙の他、段ボール、プラスチック等で形成してもよい。
【００１５】
上面板１２の上部の左右には補強板１６Ｌ、１６Ｒが設けられおり、上面板１２及び左右補強板１６Ｌ、１６Ｒの対応箇所には本商品陳列板を吊り下げるための紐を通す穴１７が設けられている。
【００１６】
上面板１２及び左右の上側板１３Ｌ、１３Ｒには、上側に一列のフック固定穴Ｈが設けられている。一方、下面板１４及び左右の下側板１５Ｌ、１５Ｒには、上下に二列のフック固定穴Ｈが設けられている。
【００１７】
組立スタンドユニット２０Ｌ、２０Ｒは（以下、左側の組立スタンドユニット２０Ｌについてのみ説明するが、右側のものも構造は同じである）、本体１１の下側左右側板１５Ｌ、１５Ｒに固定するための固定部２１、固定部２１から折線を介して立ち上げ可能なスタンド部２２、そして、立ち上げたスタンド部２２をその位置で固定するための係合片２３から成る。スタンド部２２は、その外形がほぼ上下（天地）対称となっており、後述するように、図１(b)のBの方を下にした場合、Aの方を下にした場合、いずれの場合でも商品陳列板１０を床上等で自立させることができるようになっている。
【００１８】
本実施例の商品陳列板１０は、図２に示すように、両補強板１６Ｌ、１６Ｒを折り返して上面板１２の背後に貼付し、左右の組立スタンドユニット２０Ｌ、２０Ｒの固定部２１を本体１１下側の左右側板１５Ｌ、１５Ｒの折線側（斜線部）にそれぞれ貼付して両組立スタンドユニット２０Ｌ、２０Ｒを本体１１に固定することにより完成する。
【００１９】
本実施例の商品陳列板１０は、次の４通りの形態で使用することができる。
【００２０】
［第１形態］
図２の状態から、図４に示すように、上下の左右側板１３Ｌ、１３Ｒ、１５Ｌ、１５Ｒをそれぞれ折り返して本体１１の裏側に重ね、全体として縦長の長方形とする。そして、上下に３列に並んだ固定穴Ｈにそれぞれフックを差し込むことにより、フックを固定するとともに、折り返した上下の左右側板１３Ｌ、１３Ｒ、１５Ｌ、１５Ｒも固定する。本第１形態では、上面板１２の上部の穴１７に通した紐（図示せず）により本商品陳列板１０を吊り下げて使用する。
【００２１】
［第２形態］
第１形態と同様に縦長の長方形としつつ、吊り下げるのではなく、左右の組立スタンドユニット２０Ｌ、２０Ｒを組み立てて、本商品陳列板１０を床等に自立させて使用する。組立スタンドユニット２０Ｌ、２０Ｒの組み立ては、図３に示すように、まずスタンド部２２を本体１１から立ち上げ(a)、更に係合片２３を立ち上げて(b)スタンド部２２と係合することにより、スタンド部２２をその位置で固定することにより行う。
【００２２】
［第３形態］
図２の状態から、図５に示すように、下側の左右側板１５Ｌ、１５Ｒ及び下面板１４を折り返して上側の左右側板１３Ｌ、１３Ｒ及び上面板１２の裏側に重ね、全体として横長の長方形とする。そして、上に並んだ１列の固定穴Ｈのそれぞれにフックを差し込むことにより、フックを固定するとともに、折り返した下側左右側板１５Ｌ、１５Ｒ及び下面板１４も固定する。本第３形態では、上面板１２の上部の穴１７に通した紐（図示せず）により本商品陳列板１０を吊り下げて使用する。
【００２３】
［第４形態］
第３形態と同様に横長の長方形としつつ、吊り下げるのではなく、左右の組立スタンドユニット２０Ｌ、２０Ｒを組み立てて、本商品陳列板１０を床等に自立させて使用する。組立スタンドユニット２０Ｌ、２０Ｒの組み立ては前述の通りである。ただし、本形態においては、組立スタンドユニット２０Ｌ、２０Ｒは第２形態の場合とは天地逆の状態で床上に自立する。
【図面の簡単な説明】
【００２４】
【図１】本発明の一実施例である商品陳列板の本体(a)及び組立スタンドユニット(b)の展開図、並びに、本体の折線の断面図(c)及び補強用テープを貼付した場合の断面斜視図(d)。
【図２】実施例の商品陳列板の完成平面図。
【図３】組立スタンドユニットの組み立て工程の説明図。
【図４】実施例の商品陳列板の第１形態及び第２形態の平面図。
【図５】実施例の商品陳列板の第３形態及び第４形態の平面図。
【図６】従来の商品陳列板の斜視図。
【図７】フックの横断面図(a)及び正面図(b)。
【符号の説明】
【００２５】
１０…商品陳列板
１１…本体
１２…上面板
１３Ｌ…上左側板
１３Ｒ…上右側板
１４…下面板
１５Ｌ…下左側板
１５Ｒ…下右側板
１６Ｌ…左補強板
１６Ｒ…右補強板
１７…吊り下げ紐用穴
Ｈ…フック固定穴
ｈ…折線交差部の逃げ穴
t…ビニールテープ
２０Ｌ…左組立スタンドユニット
２０Ｒ…右組立スタンドユニット
２１…固定部
２２…スタンド部
２３…係合片
６０…商品陳列板
６１…フック固定穴
７０…フック
７１…基台部
７２…吊り下げ部
７３…上固定爪
７４…下固定爪
【図１】
0004813890.tif 000002
【図２】
0004813890.tif 000003
【図３】
0004813890.tif 000004
【図４】
0004813890.tif 000005
【図５】
0004813890.tif 000006
【図６】
0004813890.tif 000007
【図７】
0004813890.tif 000008